(57)【要約】【課題】液晶表示装置と光センサとを備えた電気光学装置において、回路規模の増大や開口率の低下を招くことなく、外光および表示すべき映像が暗くても、画面と指示物との接触や近接を検出可能とする。【解決手段】電気光学装置５００は、液晶素子ＬＣとこれを照らすバックライト２とを有し、バックライト２から発して液晶素子ＬＣを透過した光を画面から出射させて画面に画像を表示する液晶表示装置と、液晶表示装置の画面から入射した光を受光し、受光した光の強度を検出するセンシング単位回路ＵＢとを備え、センシング単位回路ＵＢに検出された強度に基づいて、指示物で指示された位置を検出する。さらに、電気光学装置５００は、表示単位回路ＵＡに、水平有効走査期間では映像データに応じた階調を、水平帰線期間では最高輝度の階調を表示させる。【選択図】図８
2011033855.tif 000002
【特許請求の範囲】
【請求項１】
液晶素子と前記液晶素子を照らす光源とを有し、前記光源から発して前記液晶素子を透
過した光を出射させて出射面に画像を表示する液晶表示装置と、
前記出射面から入射した光を受光し、受光した光の強度を検出する光センサと、
前記光センサに検出された強度に基づいて、指示物と前記出射面との接触又は近接を検
出する検出部と、
第１の期間では、供給された映像データに応じた強度の光が前記出射面から出射される
ように前記液晶表示装置を制御し、前記第１の期間と重ならない第２の期間では、外光と
、前記光源から発して前記液晶素子を透過し、前記出射面に接触又は近接している前記指
示物で反射された光との強度差が、これらの光を判別可能な所定値以上となるように前記
液晶表示装置を制御する制御部と、
を備える電気光学装置。
【請求項２】
前記制御部は、前記液晶素子の光透過率を制御することによって前記液晶表示装置を制
御する、
ことを特徴とする請求項１に記載の電気光学装置。
【請求項３】
前記制御部は、前記第２の期間では、最高の光透過率となるように前記液晶素子の光透
過率を制御する、
ことを特徴とする請求項２に記載の電気光学装置。
【請求項４】
前記第１の期間と前記第２の期間とが交互に繰り返し訪れ、
前記制御部は、繰り返し訪れる前記第２の期間のうち、ある第２の期間では、前記強度
差が前記所定値以上となるように前記液晶素子の光透過率を制御することによって前記液
晶表示装置を制御し、別の第２の期間では、最低の光透過率となるように前記液晶素子の
光透過率を制御することによって前記液晶表示装置を制御する、
ことを特徴とする請求項１乃至３のうちいずれか一項に記載の電気光学装置。
【請求項５】
前記制御部は、前記光源の輝度を制御することによって前記液晶表示装置を制御する、
ことを特徴とする請求項１に記載の電気光学装置。
【請求項６】
外光の強度を特定する外光特定部を備え、
前記検出部は、前記外光特定部に特定された強度が、閾値以上である場合には、前記指
示物の影を検出することによって前記指示物と前記出射面との接触又は近接を検出し、前
記閾値未満である場合には、前記指示物からの光を検出することによって前記指示物と前
記出射面との接触又は近接を検出する、
ことを特徴とする請求項１乃至５のうちいずれか一項に記載の電気光学装置。
【請求項７】
請求項１乃至６のうちいずれか一項の電気光学装置を備える電子機器。
【発明の詳細な説明】
【技術分野】
【０００１】
本発明は、液晶表示装置と光センサとを備えた電気光学装置および電子機器に関する。
【背景技術】
【０００２】
一般に、液晶表示装置と光センサとを備えた光方式のタッチパネルは、外光の明るさが
室内環境光の明るさ以上の場合には、指やペンなどの指示物の影を検出し、影ができない
ような低照度下では、液晶素子を照らすバックライトから発して液晶素子を透過し、指示
物で反射された光（反射光）を検出するようにしている。しかし、低照度下では、液晶表
示装置に表示される映像が、全域が黒に近い階調の映像のように、極端に暗い場合には、
上記の反射光を検出できないという場合がある。この問題を解決するために、特許文献１
には、タッチパネル内部に、別途、非可視光の発光セルと、非可視光の受光センサとを設
けた装置が記載されている。
【先行技術文献】
【特許文献】
【０００３】
【特許文献１】特開２００６−３０１８６４号公報
【発明の概要】
【発明が解決しようとする課題】
【０００４】
しかし、特許文献１に記載の装置では、別途、非可視光の発光セルや非可視光の受光セ
ンサを設ける必要があるから、回路規模の増大や開口率の低下という問題がある。
そこで、本発明は、液晶表示装置と光センサとを備えた電気光学装置において、上記の
問題を招くことなく、外光および表示すべき映像が暗くても、画面と指示物との接触や近
接を検出可能とすることを解決課題とする。
【課題を解決するための手段】
【０００５】
この課題を解決するために、本発明は、液晶素子と前記液晶素子を照らす光源とを有し
、前記光源から発して前記液晶素子を透過した光を出射させて出射面（画面）に画像を表
示する液晶表示装置と、前記出射面から入射した光を受光し、受光した光の強度を検出す
る光センサと、前記光センサに検出された強度に基づいて、指示物と前記出射面との接触
又は近接を検出する検出部と、第１の期間では、供給された映像データに応じた強度の光
が前記出射面から出射されるように前記液晶表示装置を制御し、前記第１の期間と重なら
ない第２の期間では、外光と、前記光源から発して前記液晶素子を透過し、前記出射面に
接触又は近接している前記指示物で反射された光（反射光）との強度差が、これらの光を
判別可能な所定値以上となるように前記液晶表示装置を制御する制御部とを備える電気光
学装置を提供する。「光源」は、例えばバックライトである。「映像データ」は、液晶表
示装置が本来表示すべき映像を示すデータであり、電気光学装置の外部から供給される。
この電気光学装置によれば、外光と映像データで示される映像とが暗くとも、第２の期
間において、外光と反射光との強度差が、これらの光を判別可能な所定値以上となるから
、指示物と画面との接触又は近接を検出することができる。また、この電気光学装置によ
れば、別途、非可視光の発光セルや非可視光の受光センサを設ける必要がないから、回路
規模の増大や開口率の低下を招かずに済む。
【０００６】
上述した電気光学装置において、前記制御部は、前記液晶素子の光透過率を制御するこ
とによって前記液晶表示装置を制御してもよいし、光源の輝度を制御することによって液
晶表示装置を制御するようにしてもよい。前者の形態には、公知の黒挿入駆動の液晶表示
装置を利用可能という利点がある。さらに、前者の形態において、前記制御部が、前記第
２の期間では、最高の光透過率となるように前記液晶素子の光透過率を制御するようにし
てもよい。この形態によれば、画面と指示物との接触又は近接の検出精度を上げることが
できる。
【０００７】
上述した電気光学装置において、前記第１の期間と前記第２の期間とが交互に繰り返し
訪れ、前記制御部は、繰り返し訪れる前記第２の期間のうち、ある第２の期間では、前記
強度差が前記所定値以上となるように前記液晶素子の光透過率を制御することによって前
記液晶表示装置を制御し、別の第２の期間では、最低の光透過率となるように前記液晶素
子の光透過率を制御することによって前記液晶表示装置を制御するようにしてもよい。こ
の形態には、公知の黒挿入駆動の液晶表示装置を利用可能という利点の他に、黒挿入駆動
による効果を部分的に得ることができるという利点がある。
【０００８】
上述した電気光学装置において、外光の強度を特定する外光特定部を備え、前記検出部
は、前記外光特定部に特定された強度が、閾値以上である場合には、前記指示物の影を検
出することによって前記指示物と前記出射面との接触又は近接を検出し、前記閾値未満で
ある場合には、前記指示物からの光を検出することによって前記指示物と前記出射面との
接触又は近接を検出するようにしてもよい。この形態によれば、指示物と画面との接触又
は近接を検出する方法を、外光の強度に基づいて定めることができるから、検出精度を上
げることができる。
【０００９】
また、本発明に係る電子機器は、上述した電気光学装置を備えたことを特徴とする。こ
のような電子機器としては、モニタ、パーソナルコンピュータ、携帯電話機、電子カメラ
などが該当する。
【図面の簡単な説明】
【００１０】
【図１】本発明の一実施形態に係る電気光学装置５００の構成を示す図である。
【図２】電気光学装置５００の断面図である。
【図３】電気光学装置５００の挿入制御部７の構成例を示す図である。
【図４】電気光学装置５００の表示単位回路ＵＡの構成を示す図である。
【図５】電気光学装置５００のデータ線駆動回路４の構成を示す図である。
【図６】電気光学装置５００の走査線駆動回路３の構成を示す図である。
【図７】走査線駆動回路３の細部の構成例を示す図である。
【図８】電気光学装置５００の垂直走査の動作を説明するための図である。
【図９】電気光学装置５００の水平走査の動作を説明するための図である。
【図１０】電気光学装置５００における白挿入と指示物との関係を示す図である。
【図１１】電気光学装置５００のセンシング単位回路ＵＢの構成を示す図である。
【図１２】電気光学装置５００の検出部１０が行う指示位置検出処理の流れを示すフローチャートである。
【図１３】電気光学装置５００の変形例での水平走査の動作を説明するための図である。
【図１４】電気光学装置５００の応用例に係る電子機器を示す図である。
【図１５】電気光学装置５００の応用例に係る別の電子機器を示す図である。
【図１６】電気光学装置５００の応用例に係るさらに別の電子機器を示す図である。
【発明を実施するための形態】
【００１１】
以降、図面を参照しながら本発明の一実施形態を説明する。ただし、各図面においては
、各部の寸法の比率が実際のものとは適宜に相違している。また、本発明は、以下に述べ
る一実施形態に限定されるものではなく、これを変形して得られる各種の変形例や、これ
らを応用して得られる各種の応用例をも技術的範囲に含みうる。なお、各図において共通
する部分には同一の符号が付されている。
【００１２】
本発明の一実施形態に係る電気光学装置５００は、グレースケールの映像を示す映像デ
ータ（ビデオデータ）に基づいて当該映像を表示する透過型の液晶表示装置であるととも
に、複数の光センサを用いて指やペン等の指示物により指示された位置（指示位置）を検
出する光学式のタッチパネルでもある。液晶表示装置としての電気光学装置５００の構成
は、信号の内容を除いて、いわゆる黒挿入駆動の液晶表示装置と同一である。
【００１３】
一般に、液晶表示装置は、複数の画像を順次表示することで映像を表示する。各画像の
表示は、複数の液晶素子の各々が、当該画像に応じた階調を一定の期間にわたって表示す
ることで行われる。したがって、各液晶素子は、映像の表示において、一定の期間を周期
的に迎える。ここで、一つの液晶素子に注目すると、時間軸には複数の一定の期間が並ぶ
ことになる。これらの一定の期間の間に、最低階調（黒）を表示する期間を挿入すること
が「黒挿入」である。そして、この挿入を伴う液晶表示装置の駆動方式が「黒挿入駆動」
である。以降の説明では、挿入される期間を「挿入期間」と呼び、挿入期間において表示
される階調を「挿入階調」と呼ぶ。
【００１４】
黒挿入駆動の液晶表示装置の構成は、黒挿入を行う目的によって相違する。黒挿入を行
う目的としては、ＯＣＢ（Optically Compensated birefringence）モードの液晶の分子
の配向をスプレイ配向からベンド配向へ転移させるという目的や、ホールド型ディスプレ
イであることに起因する液晶表示装置における動画ボケを軽減するという目的を例示可能
である。また、黒挿入を行う目的が同一であっても構成が同じとは限らない。以上より明
らかなように、次に述べる電気光学装置５００の構成は一例に過ぎない。
【００１５】
図１に示すように、電気光学装置５００は、基板１と、基板１上に形成された各部と、
表示パネル制御部８と、挿入階調保持部９と、検出部１０とを備える。基板１上には、ｎ
×ｍ個の単位回路Ｕ、ｎ本の走査線Ｙ１〜Ｙｎ、ｍ本のデータ線Ｘ１〜Ｘｍ、ｎ本の第１
制御線ＳＡ１〜ＳＡｎ、ｎ本の第２制御線ＳＢ１〜ＳＢｎ、ｍ本のセンス線Ｒ１〜Ｒｍ、
バックライト２、走査線駆動回路３、データ線駆動回路４、センシング用スキャナ５、光
センサセンシング部６、及び挿入制御部７が形成されている。なお、ｎは４の倍数であり
、ｍは３の倍数である。
【００１６】
走査線Ｙ１〜Ｙｎ、第１制御線ＳＡ１〜ＳＡｎ及び第２制御線ＳＢ１〜ＳＢｎは、いず
れも主走査方向に延在しており、データ線Ｘ１〜Ｘｍ及びセンス線Ｒ１〜Ｒｍは、いずれ
も副走査方向に延在しており、単位回路Ｕは、両者の交差に対応して一つずつ配置されて
いる。つまり、ｎ×ｍ個の単位回路Ｕは、ｎ行ｍ列のマトリクス状に配列されており、第
ｉ行第ｊ列の単位回路Ｕは、走査線Ｙｉ、第１制御線ＳＡｉ及び第２制御線ＳＢｉと、デ
ータ線Ｘｊ及びセンス線Ｒｊとの交差に対応して配置されている。各単位回路Ｕは、液晶
素子を用いて階調を表示する表示単位回路ＵＡと、光センサとして機能するセンシング単
位回路ＵＢとを一つずつ含む。
【００１７】
バックライト２は、液晶素子を背後から照らす光源であり、例えば複数または単数のＥ
Ｌ（Electro Luminescent）素子で構成される。バックライト２と単位回路Ｕと基板１の
位置関係は、図１及び図２に示す通りである。図２は、電気光学装置５００を基板１に垂
直な面で切断した場合の断面図であり、この図において、説明に不要な部分の図示は省略
されている。図１及び図２に示すように、基板１の厚さ方向において、各単位回路Ｕは、
基板１とバックライト２との間に挟まれており、各表示単位回路ＵＡは、いずれのセンシ
ング単位回路ＵＢとも重ならない。バックライト２から発して液晶素子を透過した光は、
図２における基板１の上面から出射する。この光出射面が画面となる。なお、各センシン
グ単位回路ＵＢとバックライト２との間には遮光層（図示略）が挟まれている。
【００１８】
走査線駆動回路３は、走査線Ｙ１〜Ｙｎを順次選択する回路であり、走査線Ｙ１〜Ｙｎ
のうち、選択中の走査線Ｙｉの電位のみがＨレベル（アクティブレベル）となるように、
各走査線に走査信号を供給する。
【００１９】
データ線駆動回路４は、ｎ×ｍ個の表示単位回路ＵＡを駆動する回路であり、映像信号
ＶＤに基づいて、これらの表示単位回路ＵＡの各々に階調を指定する。映像信号ＶＤは、
ｎ×ｍ個の表示単位回路ＵＡの各々に表示させるべき階調をレベルで示す複数の映像階調
信号を、第１行第１列、第１行第２列、…、第１行第ｍ列、第２行第１列、…、第ｎ行第
ｍ列、第１行第１列、…という順に連ねた信号である。
【００２０】
各映像階調信号は、映像信号ＶＤにおいて一定の時間（Ｔ１）を占める。また、各行の
最後の映像階調信号と次行の最初の映像階調信号との間には、データ転送のブランクを埋
めるためのブランキングデータが挟まれている。データ線駆動回路４は、走査線Ｙｉが選
択されている期間において、走査線Ｙｉに対応するｍ個の表示単位回路ＵＡ用のｍ個の映
像階調信号をそれぞれデータ線Ｘ１〜Ｘｍに供給することにより、これらの表示単位回路
ＵＡに階調を指定する。なお、データ線Ｘ１〜Ｘｍへの映像階調信号の供給は、Ｔ１間隔
で順に行われる。
【００２１】
センシング用スキャナ５は、第１制御線ＳＡ１〜ＳＡｎを順次選択するとともに、第２
制御線ＳＢ１〜ＳＢｎを順次選択する回路であり、第１制御線ＳＡ１〜ＳＡｎのうち、選
択中の第１制御線ＳＡｉの電位のみがＨレベルとなるように、各第１制御線に信号を供給
する一方、第２制御線ＳＢ１〜ＳＢｎのうち、選択中の第２制御線ＳＢｉの電位のみがＨ
レベルとなるように、各第２制御線に信号を供給する。
【００２２】
光センサセンシング部６は、ｎ×ｍ個のセンシング単位回路ＵＢから検出信号を読み出
して検出部１０へ供給する回路である。具体的には、光センサセンシング部６は、第２制
御線ＳＢｉが選択されている期間において、センス線Ｒ１〜Ｒｍの電位を読み取ることに
より、第２制御線ＳＢｉに対応するｍ個のセンシング単位回路ＵＢから一斉に検出信号を
読み出し、パラレル／シリアル変換の後に検出部１０へ供給する。
【００２３】
検出部１０は、検出結果取得部１１と指示位置特定部１２とを有し、指示物で指示され
た位置（指示位置）を検出する指示位置検出処理を１Ｖ毎に繰り返し行う。この指示位置
検出処理において、検出結果取得部１１は、光センサセンシング部６からの検出信号に基
づいて、ｎ×ｍ個のセンシング単位回路ＵＢの検出結果を取得し、指示位置特定部１２は
、検出結果取得部１１に取得された検出結果に基づいて、指示位置を特定し、特定した指
示位置を示すデータを外部の上位装置へ供給する。
【００２４】
表示パネル制御部８は、外部の上位装置から供給されたデータ（映像データを含む）に
基づいて、液晶表示装置を構成する各部を制御する回路であり、走査線駆動回路３、デー
タ線駆動回路４、センシング用スキャナ５、挿入制御部７に対して各種の信号を供給する
。例えば、映像データに応じた映像信号ＶＤをデータ線駆動回路４へ供給し、挿入期間を
定める挿入期間信号ＩＧを挿入制御部７へ供給する。
【００２５】
なお、挿入期間信号ＩＧの周期は、水平同期信号で規定される水平走査期間（１Ｈ）に
相当する長さである。水平走査期間は、１行分の表示単位回路ＵＡを第１列から第ｍ列ま
で水平走査する水平有効走査期間（第１の期間）と、第ｍ列から次行の第１列まで戻す水
平帰線期間（第２の期間）とに分かれる。本実施形態では、便宜的に水平帰線期間を先と
し、水平有効走査期間を後としている。
【００２６】
挿入階調保持部９は、挿入階調を保持する回路であり、挿入階調に応じた電位の挿入階
調信号ＩＤを挿入制御部７へ供給する。挿入階調は、黒挿入駆動では最低階調（黒）であ
るが、電気光学装置５００では最高階調（白）である。つまり、電気光学装置５００では
、黒挿入ではなく、白挿入が行われる。
【００２７】
挿入制御部７は、白挿入を制御する回路であり、表示パネル制御部８からの挿入期間信
号ＩＧがＨレベルの期間に限り、挿入階調保持部９からの挿入階調信号ＩＤをデータ線Ｘ
１〜Ｘｍの各々に供給する。挿入制御部７の構成例を図３に示す。この構成では、挿入制
御部７は、データ線Ｘ１〜Ｘｍにそれぞれ対応するスイッチＷＢ１〜ＷＢｍを有する。各
スイッチは、挿入期間信号ＩＧがＨレベルの期間にわたってオン状態を維持して対応する
データ線への挿入階調信号ＩＤの供給を許可し、挿入期間信号ＩＧがＬレベルの期間にわ
たってオフ状態を維持して対応するデータ線への挿入階調信号ＩＤの供給を禁止する。な
お、他の構成としては、データ線Ｘ１〜Ｘｍへの挿入階調信号ＩＤの供給を１個のスイッ
チで許可／禁止するものが挙げられる。
【００２８】
図４に示すように、第ｉ行第ｊ列の表示単位回路ＵＡは、液晶素子ＬＣとトランジスタ
Ｔｒｇとを備える。液晶素子ＬＣは、一方の電極ＬＣ１と、他方の電極ＬＣ２と、両電極
間の液晶とを有する。トランジスタＴｒｇは、ＴＦＴ（Thin Film Transistor）であり、
電極ＬＣ１とデータ線Ｘｊとの間に介挿されており、そのゲートは走査線Ｙｉと電気的に
接続されている。つまり、トランジスタＴｒｇは、スイッチング素子として機能し、走査
線Ｙｉのレベルに応じてオン／オフする。電極ＬＣ２には、ｎ×ｍ個の表示単位回路ＵＡ
に共通の共通電位Ｖｃｏｍが供給される。
【００２９】
図５に示すように、データ線駆動回路４は、ｍ本のデータ線Ｘ１〜Ｘｍにそれぞれ対応
するｍ個のスイッチＷＡ１〜ＷＡｍを有する。また、データ線駆動回路４には、表示パネ
ル制御部８から、映像信号ＶＤ及びイネーブル信号ＸＥｎｂ１〜ＸＥｎｂｍが供給される
。イネーブル信号ＸＥｎｂ１〜ＸＥｎｂｍは、それぞれ、１Ｈを周期とし、パルス幅をＴ
２としたパルス信号であり、例えば、イネーブル信号ＸＥｎｂ１をＴ１ずつ順次シフトし
て生成される。ただし、Ｔ１＞Ｔ２である。
【００３０】
スイッチＷＡｊは、イネーブル信号ＸＥｎｂｊがＨレベルの期間にわたってオン状態を
維持し、イネーブル信号ＸＥｎｂｊがＬレベルの期間にわたってオフ状態を維持する。ス
イッチＷＡｊに対応するデータ線Ｘｊには、スイッチＷＡｊがオン状態の場合にのみ、映
像信号ＶＤが供給される。この供給が、第ｊ列の表示単位回路ＵＡに指定すべき映像階調
信号の供給と等価となるように、表示パネル制御部８からの映像信号ＶＤの供給タイミン
グや、映像信号ＶＤにおける映像階調信号の切り換え時間間隔およびブランキングデータ
の長さ、イネーブル信号のレベル遷移タイミング等が定められている。
【００３１】
図６に示すように、走査線駆動回路３は、シフトレジスタ３１と、ｎ個のＡＮＤ回路３
６と、ｎ個のＡＮＤ回路３７とを有する。また、走査線駆動回路３には、表示パネル制御
部８から、クロック信号ＣＬＹ、ＣＬＹｉｎｖ、スタートパルスＤＹ、イネーブル信号Ｙ
Ｅｎｂ１〜ＹＥｎｂ４が供給される。クロック信号ＣＬＹ及びＣＬＹｉｎｖは、論理レベ
ルが互いに反転の関係にあり、それぞれ、デューティ比が５０％のパルス信号であり、半
周期が１Ｈとなるように生成される。
【００３２】
シフトレジスタ３１は、ｎ＋１段の単位回路３２を、ある段の単位回路３２からの出力
信号が次段の単位回路３２の入力信号となるように接続して構成されている。ただし、第
１段の単位回路３２には入力信号としてスタートパルスＤＹが供給される。奇数段目の単
位回路３２は、クロック信号ＣＬＹがＨレベルの期間では入力信号を取り込んで出力し、
クロック信号ＣＬＹがＬレベルの期間では、直前の期間において取り込んだ入力信号を保
持して出力する。一方、偶数段目の単位回路３２は、このクロック信号ＣＬＹがＬレベル
の期間では入力信号を取り込んで出力し、クロック信号ＣＬＹがＨレベルの期間では、直
前の期間において取り込んだ入力信号を保持して出力する。
【００３３】
奇数段目の単位回路３２と次段（偶数段目）の単位回路３２の構成としては、例えば、
図７に示すように、クロックドインバータ３３、３４およびインバータ３５を含むものを
例示可能である。この構成において、奇数段目のクロックドインバータ３３及び偶数段目
のクロックドインバータ３４は、クロック信号ＣＬＹがＨレベルの期間（Ｈ期間）におい
てインバータとして機能し、クロック信号ＣＬＹがＬレベルの期間（Ｌ期間）において、
その出力が不定（ハイインピーダンス）となる。また、奇数段目のクロックドインバータ
３４及び偶数段目のクロックドインバータ３３は、Ｈ期間においてインバータとして機能
し、Ｌ期間において、その出力が不定となる。
【００３４】
図６のＡＮＤ回路３６及び３７は、それぞれ、ｎ本の走査線Ｙ１〜Ｙｎの各々に対応し
て一つずつ設けられている。第ｉ行のＡＮＤ回路３６は、第ｉ段の単位回路３２から出力
される信号と、第ｉ＋１段の単位回路３２から出力される信号との論理積を求め、信号Ｓ
Ｒｉとして出力する。第ｉ行のＡＮＤ回路３７は、第ｉ行のＡＮＤ回路３６による論理積
信号と、イネーブル信号との論理積信号を、走査信号Ｇｉとして第ｉ行の走査線Ｙｉに出
力する。
【００３５】
ＡＮＤ回路３７に供給されるイネーブル信号は、第１行〜第ｎ／４行についてはイネー
ブル信号ＹＥｎｂ１であり、第ｎ／４＋１行〜第２ｎ／４行についてはイネーブル信号Ｙ
Ｅｎｂ２であり、第２ｎ／４＋１行〜第３ｎ／４行についてはイネーブル信号ＹＥｎｂ３
であり、第３ｎ／４＋１行〜第ｎ行についてはイネーブル信号ＹＥｎｂ４である。すなわ
ち、本実施形態では、走査線がｎ／４本ずつグループ化されており、各グループの走査線
への走査信号は、当該グループに対応するイネーブル信号に基づいて生成される。
【００３６】
図８を参照して、走査線駆動回路３の動作について説明する。ただし、この図は、ｎを
１２、ｍを１５としたときのものである。以降の説明では、便宜的に、ｎを１２、ｍを１
５、ｉを１２以下の自然数、ｊを１５以下の自然数であるものとする。
【００３７】
図中のａで示されるように、クロック信号ＣＬＹ（ＣＬＹｉｎｖ）の１周期分のパルス
幅を有するスタートパルスＤＹが、クロック信号ＣＬＹがＨレベルとなるタイミングより
も前に供給されると、第１段の単位回路３２は、クロック信号ＣＬＹがＨレベルにとなる
と、当該スタートパルスＤＹを取り込み、当該Ｈレベルの期間（Ａ期間）にわたって出力
し、取り込んだ信号を、当該期間に後続する、クロック信号ＣＬＹがＬレベルの期間（Ｂ
期間）にわたって保持しつつ出力する。したがって、第１段の単位回路３２からの出力信
号は、Ａ期間およびＢ期間にわたってＨレベルとなる。
【００３８】
第２段の単位回路３２は、Ｂ期間が開始すると、第１段の単位回路３２からの出力信号
を取り込み、Ｂ期間にわたって出力し、取り込んだ信号を、当該期間に後続する、クロッ
ク信号ＣＬＹがＨレベルの期間（Ｃ期間）にわたって保持しつつ出力する。したがって、
第２段の単位回路３２からの出力信号は、Ｂ期間およびＣ期間にわたってＨレベルとなる
。このような動作が、以降、第１３段の単位回路３２まで実行される。
【００３９】
このため、第１段〜第１３段の単位回路３２からは、ａで示されるスタートパルスＤＹ
を取り込みの時点からクロック信号ＣＬＹの半周期だけ順次遅延させた信号が出力される
。そして、第ｉ行のＡＮＤ回路３６からは、第ｉ段の単位回路３２からの出力信号と第ｉ
＋１段の単位回路３２からの出力信号とが共にＨレベルの場合にのみＨレベルとなる信号
ＳＲｉが出力されるから、信号ＳＲ１〜ＳＲ１２は、図に示すように、クロック信号ＣＬ
Ｙの半周期の幅（１Ｈ）を有するパルスをクロック信号ＣＬＹの半周期だけ順次遅延させ
た波形となる。
【００４０】
ところで、本実施形態では、ａで示されるスタートパルスＤＹに起因して信号ＳＲ１〜
ＳＲ１２が順次Ｈレベルとなる最中に、ｂで示されるスタートパルスＤＹが供給される。
具体的には、ｂで示されるスタートパルスＤＹは、ａで示されるスタートパルスＤＹから
９本（２ｎ／３本）の走査線に相当する９Ｈだけ遅れて供給される。したがって、信号Ｓ
Ｒ１〜ＳＲ１２のうちの二つが同時にＨレベルとなる場合がある。
【００４１】
ａで示されるスタートパルスＤＹに起因して信号ＳＲｉがＨレベルとなったときが、映
像階調信号を第ｉ行の表示単位回路ＵＡに書き込むために走査線Ｙｉを選択すべきときで
あり、ｂで示されるスタートパルスＤＹに起因して信号ＳＲｉがＨレベルとなったときが
、挿入階調データを第ｉ行の表示単位回路ＵＡに書き込むために走査線Ｙｉを選択すべき
ときである。
【００４２】
映像階調信号の書き込み（映像書込）のための選択と、挿入階調データの書き込み（挿
入書込）のための選択とを切り分けるために、表示パネル制御部８は、特定の３Ｈの各々
では、水平有効走査期間においてＨレベルとなり、他の期間においてＬレベルとなる一方
、残りの１２Ｈの各々では、水平帰線期間においてＨレベルとなり、他の期間においてＬ
レベルとなるイネーブル信号ＹＥｎｂ１〜ＹＥｎｂ４を出力する。
【００４３】
特定の３Ｈは、イネーブル信号毎に異なり、イネーブル信号ＹＥｎｂ１なら、ａで示さ
れるスタートパルスＤＹに起因して信号ＳＲ１〜ＳＲ３が順次Ｈレベルとなる３Ｈであり
、イネーブル信号ＹＥｎｂ２なら、ａで示されるスタートパルスＤＹに起因して信号ＳＲ
４〜ＳＲ６が順次Ｈレベルとなる３Ｈであり、イネーブル信号ＹＥｎｂ３なら、ａで示さ
れるスタートパルスＤＹに起因して信号ＳＲ７〜ＳＲ９が順次Ｈレベルとなる３Ｈであり
、イネーブル信号ＹＥｎｂ４なら、ａで示されるスタートパルスＤＹに起因して信号ＳＲ
１０〜ＳＲ１２が順次Ｈレベルとなる３Ｈである。
【００４４】
以上の通りであるから、走査信号Ｇ１〜Ｇ１２の波形は、図に示す通りとなる。すなわ
ち、走査信号Ｇ１〜Ｇ１２には、ａで示されるスタートパルスＤＹを順次遅延させたこと
に起因して、映像書込のための幅の長いパルス、すなわち水平有効走査期間においてＨレ
ベルとなるパルスが順次現れるとともに、ｂで示されるスタートパルスＤＹを順次遅延さ
せたことに起因して、挿入書込のための幅の短いパルス、すなわち水平帰線期間において
Ｈレベルとなるパルスが重複しないように順次現れる。
【００４５】
図９は、１Ｈにおける表示動作を説明するための図である。この図に示す１Ｈでは、第
１１行に係る映像書込と第２行に係る挿入書込が行われる。この１Ｈに限らず、各１Ｈに
わたって、挿入階調信号ＩＤは白（最高階調）を指定する信号となる。一方、映像信号Ｖ
Ｄは、図９の１Ｈに限らず、各１Ｈにおいて、まずブランキングデータとなり、以降、Ｔ
１毎に、順次、当該１Ｈにおいて映像書込が行われる行に係る映像階調信号ｄ１〜ｄ１２
となる。したがって、図９の１Ｈでは、映像信号ＶＤは、まずブランキングデータとなり
、次に第１１行第１列の表示単位回路ＵＡ用の映像階調信号ｄ１となり、次に第１１行第
２列の表示単位回路ＵＡ用の映像階調信号ｄ２となり、…、最後に第１１行第１２列の表
示単位回路ＵＡ用の映像階調信号ｄ１２となる。
【００４６】
一方、走査信号Ｇ１１は、図９の１Ｈにおいて、まずＬレベルを維持し、映像信号ＶＤ
がブランキングデータから第１１行第１列の表示単位回路ＵＡ用の映像階調信号ｄ１に変
化する直前にＨレベルへ変化し、映像信号ＶＤが第１１行第１２列の表示単位回路ＵＡ用
の映像階調信号ｄ１からブランキングデータに変化する直前にＬレベルへ変化し、以降、
Ｌレベルを維持する。また、この１Ｈにおいて、走査信号Ｇ２は、まずＬレベルを維持し
、次にＨレベルへ遷移し、走査信号Ｇ１１がＬレベルからＨレベルへ遷移する前にＬレベ
ルへ遷移し、以降、Ｌレベルを維持する。また、この１Ｈにおいて、挿入期間信号ＩＧは
、まずＬレベルを維持し、走査信号Ｇ２がＬレベルからＨレベルへ遷移するとＨレベルへ
遷移し、走査信号Ｇ２がＬレベルへ遷移する前にＬレベルへ遷移する。
【００４７】
走査信号Ｇ２がＨレベルの期間では、第２行の表示単位回路ＵＡのトランジスタＴｒｇ
は、いずれもオン状態となる。この期間において、イネーブル信号ＸＥｎｂ１〜ＸＥｎｂ
ｍはいずれもＬレベルを維持するから、スイッチＷＡ１〜ＷＡｍがいずれもオフ状態とな
る。また、この期間には、挿入期間信号ＩＧがＨレベルの期間が含まれており、この期間
において、スイッチＷＢ１〜ＷＢ１２の総てがオン状態となる。よって、この期間におい
て、第２行については、映像書込は行われず、挿入書込が行われる。
【００４８】
一方、走査信号Ｇ２がＨレベルの期間を含む、走査信号Ｇ１１がＬレベルの期間では、
第１１行の表示単位回路ＵＡのトランジスタＴｒｇは、いずれもオフ状態となる。したが
って、この期間において、第１１行については、映像書込も挿入書込も行われない。
【００４９】
走査信号Ｇ１１がＨレベルの期間では、第１１行の表示単位回路ＵＡのトランジスタＴ
ｒｇは、いずれもオン状態となる。この期間において、イネーブル信号ＸＥｎｂ１〜ＸＥ
ｎｂｍは、映像信号ＶＤにおける映像階調信号の切り替えに同期して順次Ｌレベルとなる
。したがって、まず映像階調信号ｄ１が第１１行第１列の表示単位回路ＵＡに書き込まれ
、次に映像階調信号ｄ２が第１１行第２列の表示単位回路ＵＡに書き込まれ、…、最後に
映像階調信号ｄ１２が第１１行第１２列の表示単位回路ＵＡに書き込まれる。また、この
期間では、挿入期間信号ＩＧがＬレベルを維持するから、スイッチＷＢ１〜ＷＢ１２の総
てがオフ状態となる。よって、この期間において、第１１行については、映像書込が行わ
れる一方、挿入書込は行われない。
【００５０】
一方、走査信号Ｇ１１がＨレベルの期間を含む、走査信号Ｇ２がＬレベルの期間では、
第２行の表示単位回路ＵＡのトランジスタＴｒｇは、いずれもオフ状態となる。したがっ
て、この期間において、第２行については、映像書込も挿入書込も行われない。
【００５１】
図１０は、白挿入と指示物との関係を示す図である。この図に示すように、ある時点の
画面の上方には、白挿入による白が表示されている帯状の領域（白領域）が存在する。そ
して、白領域は、１Ｈに相当する時間毎に１行分ずつ画面下方へ移動し、再び上方から現
れる。つまり、白領域は、画面を走査するように移動する。本実施形態では、この白領域
を指示位置の検出に利用する。
【００５２】
図１１に示すように、第ｉ行第ｊ列のセンシング単位回路ＵＢは、画面から入射した光
を受光するフォトダイオードＰＤと、トランジスタＴｒａ，Ｔｒｂ及びＴｒｃと、容量素
子Ｃとを備える。フォトダイオードＰＤは、固定の電源電位Ｖｓが供給される給電線（図
示略）と接地線（図示略）との間に介挿されており、そのアノードには接地電位が供給さ
れる。
【００５３】
給電線とフォトダイオードＰＤとの間にはトランジスタＴｒａが介挿されている。トラ
ンジスタＴｒａはスイッチング素子として機能し、そのゲートには第１制御線ＳＡｉが接
続されている。つまり、第１制御線ＳＡｉにＨレベルの信号が供給される期間に限り、ト
ランジスタＴｒａがオン状態となり、フォトダイオードＰＤのカソードに電源電位Ｖｓが
供給される。また、トランジスタＴｒａのソースとドレインとの間には容量素子Ｃが介在
する。
【００５４】
一方、給電線とセンス線Ｒｊとの間にはトランジスタＴａｃが介挿されており、トラン
ジスタＴａｃとセンス線Ｒｊとの間にはトランジスタＴｒｂが介挿されている。トランジ
スタＴａｃのドレインは給電線と接続され、ソースはトランジスタＴｒｂのドレインと接
続され、ゲートはフォトダイオードＰＤのカソードと接続されている。トランジスタＴｒ
ｂはスイッチング素子として機能し、そのゲートは第２制御線ＳＢｉと接続されている。
つまり、第２制御線ＳＢｉにＨレベルの信号が供給される期間に限り、トランジスタＴｒ
ｂがオン状態となり、トランジスタＴｒｃのゲート電位に応じたレベルの検出信号がセン
ス線Ｒｊに供給される。
【００５５】
センシング単位回路ＵＢでは、リセット動作、センシング動作、読出動作が巡回的に一
定の周期で行われる。リセット動作が行われるリセット期間Ｔｐでは、トランジスタＴｒ
ａはオン状態、トランジスタＴｒｂはオフ状態となる。したがって、トランジスタＴｒｃ
のゲートの電位（フォトダイオードＰＤのカソードの電位）が電源電位Ｖｓに設定（リセ
ット）される。
【００５６】
センシング動作が行われるセンシング期間Ｔｓでは、トランジスタＴｒａ及びトランジ
スタＴｒｂは共にオフ状態となる。この期間において、フォトダイオードＰＤでは、受光
強度に応じた光電流が生起する。したがって、センシング期間では、トランジスタＴｒｃ
のゲートの電位が、この期間の開始時には電源電位Ｖｓとなり、この期間の終了時にはフ
ォトダイオードＰＤの受光強度に応じた電位となる。
【００５７】
読出動作が行われる読出期間Ｔｒでは、トランジスタＴｒａはオフ状態、トランジスタ
Ｔｒｂはオン状態となる。また、この期間において、トランジスタＴｒｃのゲートの電位
は、容量素子Ｃによって維持される。よって、読出期間Ｔｒでは、トランジスタＴｒｃか
らセンス線Ｒｊへ、トランジスタＴｒｃのゲート電位に応じた検出信号、すなわちセンシ
ング単位回路ＵＢの検出結果（受光強度）を示す検出信号が供給される。
【００５８】
次に、センシング用スキャナ５の動作について、図８を参照して説明する。図に示すよ
うに、センシング用スキャナ５は、すなわち第ｉ行の表示単位回路ＵＡの階調が白挿入に
よる白である間に、第ｉ行のセンシング単位回路ＵＢのセンシング期間Ｔｓが開始して後
続の読出期間Ｔｒが終了するように、第１制御線ＳＡｉ及び第２制御線ＳＢｉのレベルを
制御する。
【００５９】
具体的には、第１制御線ＳＡｉのレベルを、挿入書込が終了して信号ＳＲｉがＨレベル
からＬレベルへ遷移するタイミングでＨレベルからＬレベルへ変化させ、第２制御線ＳＢ
ｉのレベルを、映像書込のためにＳＲｉがＬレベルへ遷移するタイミング（特定タイミン
グ）よりも一定の時間（具体的には、２Ｈに相当する時間）だけ前のタイミングでＬレベ
ルからＨレベルへ変化させ、特定タイミングにおいてＬレベルへ変化させる。
【００６０】
この結果、第１制御線ＳＡｉのレベルがＨレベルからＬレベルへ変化してから第２制御
線ＳＢｉのレベルがＬレベルからＨレベルへ変化するまでの期間が第ｉ行に係るセンシン
グ期間Ｔｓとなり、第２制御線ＳＢｉのレベルがＨレベルの期間が第ｉ行に係る読出期間
Ｔｒとなる。第ｉ行に係る読出期間Ｔｒでは、第ｉ行のｍ個のセンシング単位回路ＵＢか
ら各々に対応するセンス線へ検出信号が供給される。光センサセンシング部６は、これら
の検出信号を取り込むことにより、第ｉ行のｍ個のセンシング単位回路ＵＢから検出信号
を一斉に読み出す。
【００６１】
なお、第１制御線ＳＡｉのレベルがＨレベルの期間が第ｉ行に係るリセット期間Ｔｐで
あり、第１制御線ＳＡｉのレベルがＬレベルからＨレベルへ変化するタイミングとしては
、第ｉ行に係る読出期間Ｔｒが終了してから第ｉ行に係る次の挿入書込が終了するまでの
間の任意の時点を採用可能である。また、第ｉ行に係るセンシング期間Ｔｓの開始タイミ
ングは、図示のタイミングよりも後であっても前であってもよい。図示のタイミングより
も前のタイミングとしては、第ｉ行に係る挿入書込の終了時以降の任意のタイミング、又
は当該挿入書込の開始時以降の任意のタイミングが挙げられる。
【００６２】
図１２は、指示位置検出処理の流れを示すフローチャートである。指示位置検出処理で
は、まず、検出結果取得部１１が、光センサセンシング部６からの検出信号に基づいて、
ｎ×ｍ個のセンシング単位回路ＵＢの検出結果、すなわち１画面分の受光強度を取得する
（ステップ７１）。次に、指示位置特定部１２が、これらの受光強度に基づいて、外光の
強度を特定する（ステップ７２）。この特定の方法としては、過半数の受光強度が上回る
ことになる最大の強度を算出し、これを外光の強度として採用する方法を例示可能である
。次に指示位置特定部１２は、外光の強度が予め定められた閾値以上であるか否かを判定
する（ステップ７３）。
【００６３】
ステップ７３の判定の結果が肯定を示す場合には、位置を指示する指示物が画面に落と
す影が十分に濃いから、指示位置特定部１２は、指示物の影で指示領域を検出する（ステ
ップ７４）。具体的には、ｎ×ｍ個の受光強度の各々と第１の基準値とを比較し、十分に
濃い影の領域を示すｎ行ｍ列の第１行列を生成する。第１行列は、画面に対応しており、
例えば、ｎ行ｍ列の行列を構成する各要素の値を、当該要素に対応する受光強度が第１の
基準値以下の場合には１とし、他の場合には０とすることで生成される。この場合、値が
１の要素に対応する画面上の領域が指示領域となる。
【００６４】
次に、指示位置特定部１２は、検出した指示領域に基づいて、指示位置を特定する（ス
テップ７５）。具体的には、指示領域からノイズの可能性が高い領域を除いた領域を指示
位置とする。ノイズの可能性が高い領域を除く方法としては、指示領域の重心からの距離
が所定の距離以上の領域を除く方法や、指示領域における最小の受光強度に対応する位置
からの距離が所定の距離以上の領域を除く方法を例示可能である。
【００６５】
ステップ７３の判定の結果が否定を示す場合には、位置を指示する指示物が画面に落と
す影が十分には濃くないから、指示位置特定部１２は、指示物からの反射光（バックライ
ト２から発して液晶素子ＬＣを透過して指示物で反射された光）で指示領域を検出する（
ステップ７６）。具体的には、ｎ×ｍ個の受光強度の各々と第２の基準値とを比較し、十
分に明るい領域を示すｎ行ｍ列の第２行列を生成する。第２行列は、画面に対応しており
、例えば、当該行列を構成する各要素の値を、当該要素に対応する受光強度が第２の基準
値以上の場合には１とし、他の場合には０とすることで生成される。この場合、値が１の
要素に対応する画面上の領域が指示領域となる。
【００６６】
ところで、指示物からの反射光は、表示される映像が明るい場合に明るくなり、表示さ
れる映像が暗い場合に暗くなる。したがって、一般的な透過型の液晶表示装置を用いる場
合、表示する映像を限定しない限り、指示物からの反射光が暗すぎて指示領域を検出でき
ないという事態が生じる虞がある。これに対して、電気光学装置５００では、各センシン
グ単位回路ＵＢが、白挿入による白が表示されている期間においてセンシングを行うから
、上記の事態は生じない。
【００６７】
次に、指示位置特定部１２は、検出した指示領域に基づいて、指示位置を特定する（ス
テップ７７）。具体的には、指示領域からノイズの可能性が高い領域を除いた領域を指示
位置とする。ノイズの可能性が高い領域を除く方法としては、指示領域の重心からの距離
が所定の距離以上の領域を除く方法や、指示領域における最多の受光強度に対応する位置
からの距離が所定の距離以上の領域を除く方法を例示可能である。
【００６８】
ステップ７５又は７７において指示位置が特定されると、指示位置特定部１２は、特定
した指示位置を示すデータを出力する（７８）。このデータが外部の上位装置へ供給され
る。なお、第１及び第２の基準値は、いずれも、予め定められた値であってもよいし、外
光の強度に応じた値であってもよい。また、ステップ７５及び７７の各々において、指示
領域をそのまま指示位置としてもよい。
【００６９】
以上説明したように、電気光学装置５００は、液晶素子ＬＣとこれを照らすバックライ
ト２とを有し、バックライト２から発して液晶素子ＬＣを透過した光を画面から出射させ
て画面に画像を表示する液晶表示装置として機能する一方、この画面から入射した光を受
光し、受光した光の強度を検出するセンシング単位回路ＵＢとを備え、センシング単位回
路ＵＢに検出された強度に基づいて、指示物で指示された位置を検出するタッチパネルと
して機能する。さらに、電気光学装置５００では、各表示単位回路ＵＡが、水平有効走査
期間では映像データに応じた階調を、水平帰線期間では最高輝度の階調を表示し、各表示
単位回路ＵＡが最高輝度の階調を表示しているときに、当該表示単位回路ＵＡに対応する
センシング単位回路ＵＢが、受光強度を検出する。よって、電気光学装置５００によれば
、外光と映像データで示される映像とが暗くとも、指示位置を検出することができる。
【００７０】
なお、本実施形態では、映像書込を行うデータ線駆動回路４とは別に、挿入書込を行う
挿入制御部７を備えるが、データ線駆動回路４に挿入書込をも行わせるようにしてもよい
。具体的には、図１３に示すように、映像信号ＶＤにおいて、ブランキングデータに代え
て白（最高階調）を示す挿入階調信号を挿入するとともに、走査信号Ｇ２がＨレベルの期
間においてイネーブル信号ＸＥｎｂ１〜ＸＥｎｂ１２を共にＨレベルとする。この場合、
挿入制御部７、挿入階調保持部９及び挿入期間信号ＩＧが不要となるから、回路の簡素化
および信号数の削減が可能となる。なお、図１３のイネーブル信号ＸＥｎｂ１〜ＸＥｎｂ
１２は、例えば、図９イネーブル信号ＸＥｎｂ１〜ＸＥｎｂ１２と挿入期間信号ＩＧとの
論理和を求めることで生成可能である。
【００７１】
また、本実施形態では、データ線駆動回路４にｍ個のイネーブル信号ＸＥｎｂ１〜ＸＥ
ｎｂｍを供給する必要があるが、データ線駆動回路４にデマルチプレクサの機能を持たせ
、データ線駆動回路４に供給するイネーブル信号の数を減らしてもよい。また、データ線
駆動回路４にシフトレジスタを持たせ、ｍ本のデータ線Ｘ１〜Ｘｍに対して一斉に映像階
調信号を供給する形態としてもよい。
【００７２】
また、本実施形態では、光センサセンシング部６が複数のセンシング単位回路ＵＢから
一斉に検出信号を読み出しているが、これを変形し、順次に読み出すようにしてもよい。
この場合、パラレル／シリアル変換は不要となる。なお、検出部１０がパラレル形式の検
出信号を入力可能である場合には、複数のセンシング単位回路ＵＢから一斉に検出信号を
読み出す形態であっても、パラレル／シリアル変換は不要となる。
【００７３】
また、本実施形態では、常に白挿入駆動が行われるが、所定の条件に合致した場合にの
み白挿入駆動を行うようにしてもよい。例えば、映像の階調が予め定められた階調より低
い場合にのみ白挿入駆動を行うようにしてもよい。映像の階調としては、１画面分の映像
階調信号の平均レベルを例示可能である。また例えば、外光の強度が閾値未満の場合にの
み白挿入駆動を行うようにしてもよい。さらに、白挿入駆動を行っていないときに、黒挿
入駆動を行うようにしてもよい。
【００７４】
また、本実施形態では、指示物からの反射光を明るくするために、白挿入駆動により、
表示単位回路ＵＡに最高階調を表示させているが、これを変形し、バックライト２の輝度
を制御するようにしてもよい。例えば、バックライト２を構成するＥＬ素子の数を複数と
し、ＥＬ素子の発光輝度を通常以上に高くするＥＬ素子を、図１０と同様にずらしていく
形態である。この場合、図１０の白領域に相当する領域の階調は、必ずしも均一とはなら
ないが、指示位置検出処理の内容を適宜に変更することにより、本実施形態と同様の指示
位置検出が可能となる。
要は、指示物で指示されている位置にあるセンシング単位回路ＵＢの検出結果（指示物
からの反射光の強度）と、指示物で指示されていない位置にあるセンシング単位回路ＵＢ
の検出結果（外光の強度）との差分（強度差）を、両検出結果を識別可能な所定値以上と
することができればよく、そのために制御する対象は液晶表示装置であればよい。
もちろん、本実施形態に追加する形で、外光の強度が閾値以上の場合にはバックライト
２の輝度を低くし、外光の強度が閾値未満の場合にはバックライト２の輝度を高くするよ
うにしてもよい。
【００７５】
また、本実施形態に係る電気光学装置は、グレースケール映像を表示する液晶表示装置
として機能するが、本発明は、２値の白黒映像を表示する液晶表示装置として機能する電
気光学装置や、カラー映像を表示する液晶表示装置として機能する電気光学装置にも適用
可能である。後者の場合、表示単位回路ＵＡは、表示する階調に係る色によって、Ｒ（赤
）用の表示単位回路ＵＡと、Ｇ（緑）用の表示単位回路ＵＡと、Ｂ（青）用の表示単位回
路ＵＡとに分類される。このことからも明らかなように、白挿入駆動によって挿入する最
高階調は白に限らない。
【００７６】
また、本実施形態では、表示単位回路ＵＡとセンシング単位回路ＵＢとが１対１の割合
で配置されているが、これを変形し、一つの表示単位回路ＵＡに対して複数のセンシング
単位回路ＵＢを配置してもよいし、複数の表示単位回路ＵＡに対して一つのセンシング単
位回路ＵＢを配置してもよい。また、Ｒ、Ｇ、Ｂ用の表示単位回路ＵＡを一つずつ含む一
組の表示単位回路ＵＡに対して一つのセンシング単位回路ＵＢを配置してもよいし、一組
の表示単位回路ＵＡに対して複数のセンシング単位回路ＵＢを配置してもよいし、複数組
の表示単位回路ＵＡに対して一つのセンシング単位回路ＵＢを配置してもよい。
【００７７】
また、本実施形態では、指示位置特定部１２が、外光特定部として、ｎ×ｍ個のセンシ
ング単位回路ＵＢの検出結果に基づいて外光の強度を特定するが、これを変形し、外光の
強度を検出するための専用の光センサや、外光の強度を人に入力させる入力部などの手段
を設け、この手段からの信号に基づいて外光の明るさを特定するようにしてもよい。
【００７８】
また、本実施形態では、最終的には指示物に指示された位置が検出されるが、最終的に
検出する対象は、これに限らない。例えば、指示物と画面との接触や近接を検出するよう
にしてもよい。また、本実施形態では、表示単位回路ＵＡ及びセンシング単位回路ＵＢの
数を複数としたが、一方または両方を単数としてもよい。両方が単数の場合でも、液晶素
子の階調を、第１の期間では、供給された映像データに応じた階調とし、第１の期間とは
重ならない第２の期間では最高階調とするような制御を行う形態とすれば、画面と指示物
との接触や近接の検出が可能となる。
【００７９】
次に、電気光学装置５００を応用した電子機器について説明する。図１４は、電気光学
装置５００を表示部として採用したモバイル型のパーソナルコンピュータの構成を示す斜
視図である。パーソナルコンピュータ２０００は、電気光学装置５００と本体部２０１０
とを備える。本体部２０１０には、電源スイッチ２００１およびキーボード２００２が設
けられている。
【００８０】
図１５に、電気光学装置５００を適用した携帯電話機の構成を示す。携帯電話機３００
０は、複数の操作ボタン３００１およびスクロールボタン３００２、ならびに電気光学装
置５００を備える。スクロールボタン３００２を操作することによって、電気光学装置５
００に表示される画像をスクロール可能である。
【００８１】
図１６に、電気光学装置５００を適用した携帯情報端末（ＰＤＡ：Personal Digital A
ssistants）の構成を示す。携帯情報端末４０００は、複数の操作ボタン４００１および
電源スイッチ４００２、ならびに電気光学装置５００を備える。なお、本発明に係る電気
光学装置が適用される電子機器は、図１４から図１６に示したものに限られない。
【符号の説明】
【００８２】
１……基板、２……バックライト、３……走査線駆動回路、４……データ線駆動回路、
５……センシング用スキャナ、６……光センサセンシング部、７……挿入制御部、８……
挿入階調保持部、９……表示パネル制御部、１０……検出部、１１……検出結果取得部、
１２……指示位置特定部、ＬＣ……液晶素子、ＰＤ……フォトダイオード、Ｕ……単位回
路、ＵＡ……表示単位回路、ＵＢ……センシング単位回路。
【図１】
2011033855.tif 000003
【図２】
2011033855.tif 000004
【図３】
2011033855.tif 000005
【図４】
2011033855.tif 000006
【図５】
2011033855.tif 000007
【図６】
2011033855.tif 000008
【図７】
2011033855.tif 000009
【図８】
2011033855.tif 000010
【図９】
2011033855.tif 000011
【図１０】
2011033855.tif 000012
【図１１】
2011033855.tif 000013
【図１２】
2011033855.tif 000014
【図１３】
2011033855.tif 000015
【図１４】
2011033855.tif 000016
【図１５】
2011033855.tif 000017
【図１６】
2011033855.tif 000018